(57)【特許請求の範囲】
【請求項１】
左右一対のレンズ１・１の対向側縁にステーバー21の両端側面のスプリント・プレート22・22が当接し、かつ、当該スプリント・プレートの近傍において差込みピン23・23が前記レンズ１・１を各々貫刺することにより、これら両レンズを並立状態に連結してフロント枠Ｆを構成するブリッジ２と；
このフロント枠Ｆにおける左右のレンズ１・１の外側端部に連結された持出タイプのエンドピース３・３と；
このエンドピース３・３のスプリント・プレート31・31および前記ブリッジ２のスプリント・プレート22・22に捻込まれ、かつ、当該プレートの外側面から当接するレンズ１の外側縁に向けて進退操作自在に螺装された滑止め押圧ネジ部材であって、各スプリント・プレートの各々が左右のレンズ１・１の側縁に当接した状態で螺進させることにより先端部41が各レンズの側縁を押圧しつゝ制動定着することによってレンズ１を適正位置に保持する突っ張りネジ４と；
前記エンドピース３・３によりフロント枠Ｆの後方に向けて持出されたテンプル５・５とを包含して構成されることを特徴とするレンズ定置性の優れたリムレス眼鏡。
【請求項２】
ブリッジ２の差込ピン23およびエンドピースの差込ピン32に剛性があり、ブリッジ２のスプリント・プレート22およびエンドピース３のスプリント・プレート31に螺装の各突っ張りネジ４を螺入して突っ張らせ各レンズ１を差込ピン23・32とスプリント・プレート22・31との間に制動滑止め状態に挟持せしめることを特徴とする請求項１記載のレンズ定置性の優れたリムレス眼鏡。
【請求項３】
ブリッジ２の差込ピン23およびエンドピースの差込ピン32が高弾性合金によって形成されていることを特徴とする請求項１記載のレンズ定置性の優れたリムレス眼鏡。
【請求項４】
ブリッジ２の差込ピン23およびエンドピースの差込ピン32がフロント枠Ｆを構成するレンズ１・１の後方側より当該レンズ１・１を各々穿刺状態に支持連結していることを特徴とする請求項１〜３の何れか一つに記載のレンズ定置性の優れたリムレス眼鏡。
【請求項５】
ブリッジ２の差込ピン23およびエンドピースの差込ピン32がフロント枠Ｆを構成するレンズ１・１の前方側より当該レンズ１・１を各々穿刺状態に支持連結していることを特徴とする請求項１〜３の何れか一つに記載のレンズ定置性の優れたリムレス眼鏡。
【請求項６】
フロント枠Ｆを構成するレンズ１・１が合成樹脂材料により形成されており、これらのレンズ１の側縁に接触する突っ張りネジ４の先端部41が尖頭状に形成されていることを特徴とする請求項１〜５の何れか一つに記載のレンズ定置性の優れたリムレス眼鏡。
【請求項７】
フロント枠Ｆを構成するレンズ１・１がガラスにより形成されており、これらのレンズ１の側縁に接触する突っ張りネジ４が超硬合金材料により作製されて当該突っ張りネジの先端部41が前記レンズ１に齧付き制動状態に定着していることを特徴とする請求項１〜５の何れか一つに記載のレンズ定置性の優れたリムレス眼鏡。
【請求項８】
フロント枠Ｆを構成するレンズ１・１の側縁における少なくとも突っ張りネジ４の先端部41が当接する部分に粗面又はローレット加工が施されていることを特徴とする請求項１〜７の何れか一つに記載のレンズ定置性の優れたリムレス眼鏡。
【請求項９】
テンプル５が、エンドピース３の持出部位33に設けられたヒンジ片34に折畳み可能なるごとくヒンジ連結されていることを特徴とする請求項１〜８の何れか一つに記載のレンズ定置性の優れたリムレス眼鏡。
【請求項１０】
エンドピース３とテンプル５とがヒンジレスで連なっていると共に、テンプル５にはフロント枠Ｆの近傍位置に易屈撓部52が形成されて、この易屈撓部52において折畳み可能であることを特徴とする請求項１〜８の何れか一つに記載のレンズ定置性の優れたリムレス眼鏡。
【請求項１１】
ブリッジ２が左右にパッドアーム24・24を有し、その端部に鼻当パッドＰ・Ｐが装着されていることを特徴とする請求項１〜１０の何れか一つに記載のレンズ定置性の優れたリムレス眼鏡。
【発明の詳細な説明】
【０００１】
【発明の属する技術分野】
本発明は、リムレス眼鏡の改良、詳しくは、レンズと接続部品との接合状態が非常に安定的で狂いが生じず、眼鏡として優れた形態安定性を長期にわたって発揮することができるレンズ定置性の優れたリムレス眼鏡に関するものである。
【０００２】
【従来の技術】
リムレス眼鏡は、軽量で視野も広くて明るくて着用した際の違和感が少なく、しかもデザイン的にもスッキリとしてスマートなことから、今日、愛用者が増加している。周知のとおり、リムレス眼鏡は、左右のレンズをブリッジで連結せしめたフロント枠と；このフロント枠の両端にエンドピースを介し連設されたテンプルから構成されているが、左右のレンズにはブリッジとエンドピースとの連結箇所には止着孔を穿設し、これらの止着孔においてブリッジおよびエンドピースに設けたストラップに左右両レンズをシッカリとネジ止めしておかなければならなかった。
【０００３】
ところが、これら従来のリムレス眼鏡にあっては、如何にネジ止めが固くしてあっても使用上の継続的な振動や外力によって、レンズとブリッジとの連結部分やレンズとエンドピースとの連結部分にガタが生じるため辷り動いて狂い易く、またフロント枠全体も弛み勝ちであった。そして、このような問題に対しては、通常、ブリッジおよびエンドピースの各々がレンズ側縁に当接する部位に当該レンズ側縁に添った形状のスプリント・プレート(splint plate)を溶接して設け、このスプリント・プレートをレンズ側縁に当接させることによりブリッジおよびエンドピースとレンズとの辷り動きを阻止しようとする配慮がなされていた。
【０００４】
しかしながら、かゝる方式のスプリント・プレートをブリッジやエンドピースに設けてもネジ弛み止めとしては効き目がなく、しかもレンズ側縁は平滑であるため、レンズの止着部位（止着孔）を中心としてスプリント・プレートがレンズ側縁に沿って辷り動いてしまうのであって、結局、レンズの止着位置の偏倚も防止することはできなかったのである。視力矯正眼鏡の場合、このレンズ止着位置の偏倚が着用者の瞳孔間距離 (pupil distance) と左右レンズの光軸間距離との不一致を招来して眼精疲労の原因となることはいうまでもない。
【０００５】
【発明が解決しようとする課題】
本発明は、従来のリムレス眼鏡に前述のような難点があったのに鑑みて為されたものであり、レンズと接続部品との接合状態が非常に安定的で微振動や継続的な外力を受けても、左右のレンズを適正位置に保持して狂いを生ずることなく、眼鏡として優れた形態安定性を長期にわたって発揮することができるレンズ定置性の優れたリムレス眼鏡を提供することを技術的課題とする。
【０００６】
また、本発明の他の技術的課題は、部品点数が少なくて外見的にスッキリしたデザインを表現することができ、しかも従来構造のリムレス眼鏡に比較して格段に高能率的に組み立てることができるリムレス眼鏡を提供するにある。
【０００７】
さらに、本発明の他の技術的課題は、使用部品の形態が簡素で種類も少なく、部品管理およびメンテナンスにも有利なリムレス眼鏡を提供するにある。
【０００８】
【課題を解決するための手段】
本発明者が上記課題を解決するために採用した手段を添付図面を参照して説明すれば次のとおりである。
【０００９】
即ち、本発明は、左右一対のレンズ１・１の対向側縁にステーバー21の両端側面のスプリント・プレート22・22が当接し、かつ、当該スプリント・プレートの近傍において差込みピン23・23が前記レンズ１・１を各々貫刺することにより、これら両レンズを並立状態に連結してフロント枠Ｆを構成するブリッジ２と；
このフロント枠Ｆにおける左右のレンズ１・１の外側端部に連結された持出タイプのエンドピース３・３と；
このエンドピース３・３のスプリント・プレート31・31および前記ブリッジ２のスプリント・プレート22・22に捻込まれ、かつ、当該プレートの外側面から当接するレンズ１の外側縁に向けて進退操作自在に螺装された滑止め押圧ネジ部材であって、各スプリント・プレートの各々が左右のレンズ１・１の側縁に当接した状態で螺進させることにより先端部41が各レンズの側縁を押圧しつゝ制動定着することによってレンズ１を適正位置に保持する突っ張りネジ４と；
前記エンドピース３・３によりフロント枠Ｆの後方に向けて持出されたテンプル５・５とを課題解決の基本的手段として採用した点に特徴がある。
【００１０】
そこで、本発明のリムレス眼鏡を構成する部品の材料について注釈しておくならば、まず本発明に用いるレンズ１としては、無機ガラスのものを採用することも可能であるが、軽量性が求められる場合には従来周知のプラスチック材料製のもの、例えばメタクリル系樹脂、ポリスチレン系樹脂、スチレン−アクリル系樹脂、ポリウレタン系樹脂、ポリカーボネート系樹脂などを成形したものを採用することができる。ちなみに、本発明のレンズ１は、視力矯正用レンズ（例えば、近視用の凹レンズ、遠視・老視用の凸レンズ、乱視用のシリンダーレンズ、その他二重焦点レンズ、累進焦点レンズ）として、紫外線や赤外線をカットする網膜保護レンズや作業用レンズ、あるいは眩輝防止用の偏光レンズなどとしても提供される。なお、本発明においてフロント枠Ｆを構成するレンズ１・１にはブリッジ２側寄りとエンドピース３側寄りの部分に差込ピン23および32を差し込むための止着孔11・11を各々開設しておくものとする。
【００１１】
次に、ブリッジ２およびエンドピース３を構成する金属材料としては、メタル縁眼鏡に使用されている合金材料（洋白、モネル、ステンレス、ニッケル・クロム合金など）を全て採用できるほか、例えば１８金などの貴金属材料も採用できるが、眼鏡の軽量化のためにはアルミ合金やβチタン、あるいはマグネシウム合金を採用するのがよく、また掛け心地の向上には超弾性合金（例えば、ニッケル・チタン系合金）を採用するのがよい。この場合において、ブリッジ２の差込ピン23やエンドピース３の差込ピン32はロストワックス法(lost wax process)などによって一体に成形しても良いが、差込ピン23や32を溶接法(welding process) やロウ付法(brazing process) により後付けしてもよい。後述の鼻当パッドを装着するパッドアームについても同様である。
【００１２】
次にまた、テンプル５は、金属材料で作製してもよく、合成樹脂材料で作製してもよい。合成樹脂材料で作製する場合には、エンドピース３の持出部位33にヒンジ連結せねばならないから、基端部に金属製のヒンジ片34を設けておくことが必要である。テンプル５を金属製とする場合には、ヒンジ連結の機構は必ずしも必要としない。しかし、テンプル５を折り畳めるように基端部位に撓み性の良好な易屈撓部52、例えば肉厚を薄くするなどといった構成を採用することが必要である。金属製のテンプル５をエンドピース３の持出部位33にヒンジ連結する場合には、当該テンプルの基端部にヒンジ片51を一体に形成するか、あるいはヒンジ片51を溶接又はロウ付により固設しておくものとする。
【００１３】
さらに、本発明は、上記手段に加え、次の具体的手段を採用することにより、より一層目的に即したリムレス眼鏡を提供することが可能である。
1)  金属材料を選択してブリッジ２の差込ピン23とエンドピースの差込ピン32の部分に剛性を持させておくと、ブリッジ２のスプリント・プレート22とエンドピース３のスプリント・プレート31とに各々螺装してある各突っ張りネジ４を螺入して突っ張らせたときに、各レンズ１は差込ピン23・32とスプリント・プレート22・31との間に滑止め状態に挟持されて揺るぎなく安定に保持することができる。
2)  ブリッジ２の差込ピン23およびエンドピース３の差込ピン32を高弾性合金で形成することによって、スプリント・プレートと差込ピンとの間に挟持するレンズに対する挟着力を適正かつ靱やかなものにすることができる。高弾性合金製の差込ピン23をブリッジ２に接合する場合、あるいはエンドピース３に高弾性合金製の差込ピン32を接合する場合には、従来周知の溶接法、ロウ付法を適用すればよい。
3)  フロント枠Ｆを構成するレンズ１・１として、合成樹脂製レンズを採用する場合には、当該レンズ１の側縁に接触する突っ張りネジ４の先端部41は尖頭状に形成しておくことにより突っ張りネジ４を螺入させたとき尖った先端部    41が爪を立てたように制動されることになるので、スプリント・プレートの辷りを確実に阻止することができる。
4)  フロント枠Ｆを構成するレンズ１・１としてガラス製レンズを採用する場合には、当該レンズ１の側縁に接触する突っ張りネジ４はガラスにスクラッチ傷を付け得る程度の超硬合金（例えば、WC-TiC-Co 系合金や WC-TiC-TaC-Co系合金など）にて製したものを使用するとよい。
5)  フロント枠Ｆを構成するレンズ１・１の側縁における少なくとも突っ張りネジ４の先端部41が当接する部分に粗面又はローレット加工が施しておくと、突っ張りネジ４によるレンズ１の滑止め効果を大幅に向上させることが可能である。
6)  テンプル５は、エンドピース３の持出部位33に設けたヒンジ片34に折畳み可能にヒンジ連結してもよいが、エンドピース３とテンプル５とをヒンジレスで一連に作製してもよい。エンドピース３とテンプル５とを一連に作製する場合には、当該テンプル５のフロント枠Ｆの近傍位置に易屈撓部52を形成して、この易屈撓部52において折畳み可能にするのがよい。
7)  ブリッジ２として、その左右両側にパッドアーム24・24を設けておくと、パッドアーム24・24の端部に鼻当パッドＰ・Ｐを装着することができる。
【００１４】
【発明の実施の形態】
以下、本発明の好ましい実施の形態を例示した添附図面に基いて、更に詳細に説明するものとする。
【００１５】
〔第１実施形態〕
図１〜図３は本発明の第１実施形態であるリムレス眼鏡を示すものであって、符号１にて指示するものはポリカーボネート系樹脂を用いて成形した近視用のレンズであり、左右一対として使用される。このレンズ１・１には、後述のブリッジおよびエンドピースを連結する側縁近傍に止着孔11が各々開設してある。
【００１６】
次に、符号２で指示するものはβチタン製のブリッジであり、上記一対のレンズ１・１を左右対称の並立状態に連結することによってフロント枠Ｆを構成する眼鏡部品である。このブリッジ２は、所要長さのステーバー21の両端側面に上記レンズ１の側縁に当接するスプリント・プレート22・22を備え、これらスプリント・プレート22の下部後面（接眼側）からＵ字型にカーブして前方へ伸びる差込ピン23を各々有する。これら各々の差込ピン23は、直径２mmの丸棒形に形成されており、手指では曲がらない程の剛性を有し、前記フロント枠Ｆの後面からレンズ１・１の止着孔11・11に差し込んで当該両レンズの対向する内側の側縁に前記スプリント・プレート22・22を充行わせる。また、図中の符号24は差込ピン23のやゝ上部から延設されたパッドアームであり、直径が 0.5mmの線状を成して靱やかなバネ弾性を呈する。このパッドアーム24の端部には鼻当パッドＰが嵌着される。なお、このブリッジ２のスプリント・プレート22の側面には、レンズ１に当たる側に向けて貫通する雌ネジ孔25が穿孔してあり、後述の突っ張りネジを螺装できるようになっている。
【００１７】
また、図中の符号３にて指示するものはエンドピースであり、上記ブリッジ２と同じβチタンにより作製されている。本実施形態におけるエンドピース３は、Ｌ字型に屈曲したブラケット状に成形されており、フロント枠Ｆを構成する左右のレンズ１・１の外側縁に各々当接するスプリント・プレート31と、このスプリント・プレート31の下部後面（接眼側）からＵ字型にカーブして前方へ伸びる差込ピン32と、Ｌ字型に屈曲して後方へ伸びる持出部位33に形成されたヒンジ片34とを備える。このエンドピース３における差込ピン32も、上記ブリッジ２の差込ピン23と同様に、直径２mmの丸棒形に形成されており、手指では曲がらない程の剛性を有し、前記フロント枠Ｆの後面からレンズ１・１の止着孔11・11に差し込んで当該両レンズの対向する外側の側縁に前記スプリント・プレート31・31を充行わせる。そして、このエンドピース３におけるスプリント・プレート31の側面にもレンズ１に当たる側に向けて貫通する雌ネジ孔35が穿孔してあって、後述の突っ張りネジを螺装できるようにしてある。
【００１８】
また、図中の符号４で指示するものは、ステンレス製の突っ張りネジであり、ブリッジ２のスプリント・プレート22に穿孔した雌ネジ孔25、およびエンドピース３のスプリント・プレート31に穿孔した雌ネジ孔35に螺装される。この突っ張りネジ４の先端部41は、本実施形態においては鋭く尖った尖頭状に作製されており、螺入させて上記ポリカーボネート系樹脂製の上記レンズ１・１の側縁に当接したとき恰も爪を立てたように齧り付き制動状態に両レンズの側面に定着する。
【００１９】
そしてまた、図中に符号５にて指示するものはテンプルであり、本実施形態においては全体をβチタンによって作製してある。本実施形態におけるテンプル５の基端部には、上記エンドピース３の持出部位33に形成されたヒンジ片34を相方として嵌め合わせ可能なヒンジ片51が一体に形成してあり、これらエンドピース３のヒンジ片34とテンプル５のヒンジ片51とはピボットネジにより折畳み可能に連結してある。
【００２０】
〔第２実施形態〕
本発明の第２実施形態は、図４〜図６に示される。図４〜図６において符号１で指示するものは軽量高屈折率の無機ガラスレンズであり、左右一対として使用する。このレンズ１・１には、後述のブリッジおよびエンドピースを連結する側縁近傍に止着孔11が各々開設してある。
【００２１】
符号２で指示するものは、洋白（Ni-Cu-Zn合金）を用いて作製したブリッジであり、上記一対のレンズ１・１を左右対称の並立状態に連結してフロント枠Ｆを構成する。この洋白製のブリッジ２は、前述の第１実施形態と同様に所要長さのステーバー21の両端側面に上記レンズ１の側縁に当接するスプリント・プレート22・22を備え、これらスプリント・プレート22の下部後面（接眼側）からＵ字型にカーブして前方へ伸びる差込ピン23を各々有する。この差込ピン23は、直径が0.8mm の丸線に形成されて靱やかなバネ弾性を呈するので、レンズ止着孔11の中にあってレンズ１をスプリント・プレート22に押し付けて挟持する作用を発揮する。図中の符号24は差込ピン23のやゝ上部から延設されたパッドアームであり、直径が 0.8mmの丸線状を成して靱やかなバネ弾性を呈する。このパッドアーム24の端部には鼻当パッドＰが嵌着される。なお、このブリッジ２のスプリント・プレート22の側面には、レンズ１に当たる側に向けて貫通する雌ネジ孔25が穿孔してあり、後述の突っ張りネジを螺装できるようにしてある。しかして、第２実施形態におけるブリッジ２の形状は、材質および差込ピン23、パッドアーム24の線径を除いて、第１実施形態と同じである。
【００２２】
図４〜図６中に符号３で指示するものはエンドピースであり、上記ブリッジ２と同様に洋白で作製されているが、第２実施形態のエンドピース３は、第１実施形態の場合と異なり、後述のテンプルと一体的に連なってフロント枠Ｆの後方へ伸びている。このエンドピース３の部分は、第１実施形態におけるエンドピースと同様に、フロント枠Ｆを構成する左右のレンズ１・１の外側縁に各々当接するスプリント・プレート31と、このスプリント・プレート31の下部後面（接眼側）からＵ字型にカーブして前方へ伸びる差込ピン32とを備える。このエンドピース３における差込ピン32も、上記ブリッジ２の差込ピン23と同様に、直径 0.8mmの丸線状に形成されており、靱やかなバネ弾性により止着孔11とスプリント・プレート31との間にレンズ１を挟持する。なお、このエンドピース３のスプリント・プレート31の側面にもレンズ１に当たる側に向けて貫通する雌ネジ孔35が穿孔してあり、後述の突っ張りネジを螺装するようになっている。
【００２３】
次に、図中の符号４で指示するものは、ステンレス製の突っ張りネジであり、ブリッジ２のスプリント・プレート22に穿孔した雌ネジ孔25、およびエンドピース３のスプリント・プレート31に穿孔した雌ネジ孔35に螺装される。この突っ張りネジ４の先端部41は、第２実施形態では粗面加工を施した皿頭状に作製されており、螺入して上記軽量高屈折率のガラスレンズ１・１の側縁に当接したとき、恰も摩擦ブレーキを掛けたように制動作用を発揮して当該レンズの側縁に定着する。なお、当該レンズ１の側縁には、突っ張りネジの前記皿頭状の先端部41が接触する部位に粗面加工（図示せず）が施してある。
【００２４】
そしてまた、符号５にて指示するものは、先に説明したエンドピース３に一体的に連成されたテンプルである。この第２実施形態におけるテンプル５の基端部側であるフロント枠Ｆの近傍位置には肉薄でやゝ幅が狭い状態に構成して外側へ湾曲させた易屈撓部52が形成してあるので、これらテンプル５の自由端の部分を持ってフロント枠Ｆ側へ曲げるように力を加えるならば、左右双方のテンプル５・５は易屈撓部２で靱やかに撓曲して図６に示すごとくコンパクトな状態に折り畳むことが可能である。
【００２５】
本明細書を以て具体的に図解する本発明の実施形態は上記のとおりであるが、本発明は前述の実施形態に限定されるもので決してなく、特許請求の範囲の記載内において、次に列挙するごとき設計変更も可能であって、何れの設計変更例も本発明の技術的範囲に属することは云うまでもない。
【００２６】
1)  前述の第１実施形態および第２実施形態の何れの場合においても、ブリッジ２の差込ピン23およびエンドピース３の差込ピン32はフロント枠Ｆの後方側からレンズ１を穿刺状態に支持連結する形態しか説明していないけれども、フロント枠Ｆの前方側から各レンズ１を穿刺して支持連結することも当然に可能である。
2)  突っ張りネジ４の金属材料として超硬合金を採用するならば、固い無機ガラス製のレンズ１・１を対象とする場合にも、レンズ側縁に対する制動定着力が大きくなり、レンズ定着性が良好にできる。
3)  フロント枠Ｆを構成するレンズ１・１の側面における少なくとも突っ張りネジの先端部41が当接する部分に、粗面加工又はローレット加工（図示せず）を施しておくと、突っ張りネジ４によるレンズ定着力は更に向上する。
【００２７】
【発明の効果】
以上、実施形態を挙げて説明したとおり、本発明にあっては、ブリッジおよびエンドピースとして、スプリント・プレートと差込ピンとを有するものを用い、スプリント・プレートに左右のレンズの側縁を添合させた状態で差込ピンを当該レンズに穿刺せしめ、前記スプリント・プレートに螺装した突っ張りネジの先端部をレンズ側縁に螺入当接させて突っ張らせてフロント枠を構成する左右のレンズに制動状態にガッシリと定着せしめる機構を基本的構成として採用している。このため、本発明を適用して構成したリムレス眼鏡は、レンズと接続部品との接合状態が非常に安定的で微振動や継続的な外力を受けても、左右のレンズを適正位置に保持して狂いを生ずることなく、長期にわたって優れた形態安定性を長期にわたり発揮することができる。
【００２８】
また、本発明のリムレス眼鏡は、レンズと簡素な形態のブリッジとエンドピースとテンプル、それに突っ張りネジなどのごとき数本のネジ部材によって組み立てることができるので、部品点数が極端に少なく、外見的にもスッキリしたデザインを表現することができるうえに、その組立作業も頗る簡単なので、従来構造のリムレス眼鏡に較べて格段に高能率に製造することができるのであって、製造コストの低減化を達成することができる。
【００２９】
また、本発明のリムレス眼鏡は、使用部品の形態が簡素で種類も少なくて済むので、部品管理およびメンテナンスにも非常に有利である。
【００３０】
このように本発明によれば、従来リムレス眼鏡において不満とされていた技術上の問題点を悉く解消できるに止まらず、コスト的負担も増加することがなく、実用的にも経済的にも有利であって、その産業上の利用価値は極めて大きい。
【図面の簡単な説明】
【図１】図１は、本発明の第１実施形態であるリムレス眼鏡の全体的な構成を表わした斜視図である。
【図２】図２は、本発明の第１実施形態のリムレス眼鏡におけるエンドピース側を拡大して示した部分拡大斜視図である。
【図３】図３は、本発明の第１実施形態のリムレス眼鏡（ブリッジ側）におけるレンズと差込ピンとスプリント・プレートと突っ張りネジとの連結状態を拡大して表わした一部破断拡大図である。
【図４】図４は、本発明の第２実施形態であるリムレス眼鏡を全体的な構成を表わした斜視図である。
【図５】図５は、本発明の第１実施形態のリムレス眼鏡（エンドピース側）におけるレンズと差込ピンとスプリント・プレートとの連結状態を拡大して表わした一部破断拡大図である。
【図６】図６は、本発明の第２実施形態のリムレス眼鏡のテンプルをフロント枠の裏面に沿って折り畳んだ状態の平面説明図である。
【符号の説明】
１        レンズ
11      止着孔
２        ブリッジ
21      （ブリッジの）ステーバー
22      （ブリッジの）スプリント・プレート
23      （ブリッジの）差込ピン
24        パッドアーム
25        （ブリッジの）雌ネジ孔
３        エンドピース
31      （エンドピースの）スプリント・プレート
32      （エンドピースの）差込ピン
33      （エンドピースの）持出部位
34      （エンドピースの）ヒンジ片
35      （エンドピースの）雌ネジ孔
４        突っ張りネジ
41      （突っ張りネジの）先端部
５        テンプル
51      （テンプルの）ヒンジ片
52      （テンプルの）易屈撓部
Ｆ        フロント枠
Ｐ        鼻当パッド
【図１】
0004104304.tif 000002
【図２】
0004104304.tif 000003
【図３】
0004104304.tif 000004
【図４】
0004104304.tif 000005
【図５】
0004104304.tif 000006
【図６】
0004104304.tif 000007